(57)【要約】【課題】ミシン目が施された印字テープに印字するための印字情報を容易に入力指定してその印字を行うことができて、使い易く、前記印字テープへの印字により封緘シールの作成が可能な印字装置を提供する。【解決手段】印字装置に装着された印字テープの種類を検出し（Ｓ１）、ミシン目付印字テープであれば、封緘シート作成用の定型印字情報の使用有無を問い合わせる問合画面を表示部に表示し（Ｓ３）、問合せ応じて定型印字情報を使用する応答があれば、定型印字情報の選択画面を表示部に表示し（Ｓ５）、選択された定型印字情報を封緘シート情報メモリから読み出して印字すべき印字情報とする（Ｓ７）。また、ミシン目の切込部分が封緘シートの端部となるように印字テープの長さを設定するとともに定型印字情報の印字データを作成してミシン目付印字テープに印字を行う（Ｓ９、Ｓ１０）。【選択図】      図５
2009241505.tif 000002
【特許請求の範囲】
【請求項１】
長さ方向に沿ってミシン目が施された印字テープを搬送する搬送手段と、前記搬送手段によって搬送される前記印字テープに印字を行う印字手段を備えた印字装置であって、
前記印字テープに印字するために用意された印字情報を予め記憶している印字情報記憶手段と、
前記印字テープを検出する検出手段と、
前記検出手段によって前記印字テープが検出されたとき、前記印字情報記憶手段に記憶されている印字情報を用いた印字を行うかを問い合わせる問合せ手段と、
前記問合せ手段による問合せに対する応答に基づいて、前記搬送手段及び前記印字手段を制御して、前記印字情報記憶手段に記憶されている印字情報を前記印字テープに印字する制御手段と、
を備えることを特徴とする印字装置。
【請求項２】
前記印字情報記憶手段に記憶される印字情報は、該印字情報を前記印字テープに印字することにより封緘シートを作成するための、複数種類の封緘に関する文字や記号の情報で構成されていることを特徴とする請求項１記載の印字装置。
【請求項３】
前記印字装置は、前記印字情報が印字された前記印字テープをその長さ方向と直交する幅方向に切断するための切断手段を更に備え、
前記制御手段は、前記切断手段によって切断される前記印字テープの切断位置が、前記ミシン目を形成する規則的に設けられた切込部分と非切込部分のうちの前記切込部分に対応するように、前記搬送手段による前記印字テープの搬送を制御することを特徴とする請求項１又は２記載の印字装置。
【請求項４】
前記印字装置は、前記印字情報が印字された前記印字テープをその長さ方向と直交する幅方向に切断するための切断手段を更に備え、
前記制御手段は、前記切断手段によって切断される前記印字テープの切断位置が、前記ミシン目を形成する規則的に設けられた切込部分と非切込部分のうちの前記非切込部分に対応するように、前記搬送手段による前記印字テープの搬送を制御することを特徴とする請求項１又は２記載の印字装置。
【請求項５】
印字面の裏面側に接着剤が塗布され長さ方向に沿ってミシン目が施された印字テープを搬送する搬送手段と、前記搬送手段によって搬送される前記印字テープに印字を行う印字手段を備えた印字装置のコンピュータを制御するための印字処理プログラムであって、
前記印字テープに印字するために用意された印字情報を予め記憶している印字情報記憶手段と、
前記印字テープが検出されたとき、前記印字情報記憶手段に記憶されている印字情報を用いた印字を行うかを問い合わせる問合せ手段と、
前記問合せ手段による問合せに対する応答に基づいて、前記搬送手段及び前記印字手段を制御して、前記印字情報記憶手段に記憶されている印字情報を前記印字テープに印字する制御手段、
として機能させるようにしたコンピュータ読み込み可能な印字処理プログラム。
【発明の詳細な説明】
【技術分野】
【０００１】
本発明は、長さ方向に沿ってミシン目が施された長尺状の被印字媒体に印字を行う印字装置及び印字処理プログラムに関する。
【背景技術】
【０００２】
長さ方向にミシン目を形成してある印字用のロール紙、及びそのロール紙を用いてインデックスを作成する装置が特許文献１に開示されている。この装置では、ロール紙の長さ方向に複数本形成されたミシン目の間に設けられる印字領域に対して、患者の氏名、住所、電話番号などの情報を印字して、カルテに用いるインデックスを作成するものである。
【特許文献１】特開２００７−１１８３８４号公報
【発明の開示】
【発明が解決しようとする課題】
【０００３】
ところで、印字装置においては、特定の用紙を含む種々の用紙に特定の情報を含む種々の情報を印字することができる。そのような場合、特定の用紙がセットされている場合、その特定の用紙に対応する情報の入力指定が簡単にできるようにすることが望まれる。しかし、従来の印字装置では、そのような要望に対して十分に対応されておらず、また、上記特許文献１でもその点について配慮されていない。
【０００４】
本発明は上記の問題点を解決するものであり、ミシン目が施された所定印字テープに印字するための印字情報を容易に入力指定してその印字を行うことができて、使い易い印字装置を提供することを目的とし、また、前記所定印字テープへの印字により封緘シールの作成が可能な印字装置び印字処理プログラムを提供することを目的とする。
【課題を解決するための手段】
【０００５】
請求項１の発明は、長さ方向に沿ってミシン目が施された所定印字テープを含む印字テープを搬送する搬送手段と、前記搬送手段によって搬送される前記印字テープに印字を行う印字手段を備えた印字装置であって、前記所定印字テープに印字するために用意された印字情報を予め記憶している印字情報記憶手段と、前記印字テープを検出する検出手段と、前記検出手段によって前記所定印字テープが検出されたとき、前記印字情報記憶手段に記憶されている印字情報を用いた印字を行うかを問い合わせる問合せ手段と、前記問合せ手段による問合せに対する応答に基づいて、前記搬送手段及び前記印字手段を制御して、前記印字情報記憶手段に記憶されている印字情報を前記所定印字テープに印字する制御手段とを備えることを特徴とする。
【０００６】
請求項２の発明は、前記印字情報記憶手段に記憶される印字情報は、該印字情報を前記所定印字テープに印字することにより封緘シートを作成するための、複数種類の封緘に関する文字や記号の情報で構成されていることを特徴とする。
【０００７】
請求項３の発明は、前記印字装置は、前記印字情報が印字された前記印字テープをその長さ方向と直交する幅方向に切断するための切断手段を更に備え、前記制御手段は、前記切断手段によって切断される前記所定印字テープの切断位置が、前記ミシン目を形成する規則的に設けられた切込部分と非切込部分のうちの前記切込部分に対応するように、前記搬送手段による前記所定印字テープの搬送を制御することを特徴とする。
【０００８】
請求項４の発明は、前記印字装置は、前記印字情報が印字された前記印字テープをその長さ方向と直交する幅方向に切断するための切断手段を更に備え、前記制御手段は、前記切断手段によって切断される前記所定印字テープの切断位置が、前記ミシン目を形成する規則的に設けられた切込部分と非切込部分のうちの前記非切込部分に対応するように、前記搬送手段による前記所定印字テープの搬送を制御することを特徴とする。
【０００９】
請求項５の発明は、印字面の裏面側に接着剤が塗布され長さ方向に沿ってミシン目が施された印字テープを搬送する搬送手段と、前記搬送手段によって搬送される前記印字テープに印字を行う印字手段を備えた印字装置のコンピュータを制御するための印字処理プログラムであって、前記印字テープに印字するために用意された印字情報を予め記憶している印字情報記憶手段と、前記印字テープが検出されたとき、前記印字情報記憶手段に記憶されている印字情報を用いた印字を行うかを問い合わせる問合せ手段と、前記問合せ手段による問合せに対する応答に基づいて、前記搬送手段及び前記印字手段を制御して、前記印字情報記憶手段に記憶されている印字情報を前記印字テープに印字する制御手段、として機能させるようにしたコンピュータ読み込み可能な印字処理プログラムである。
【発明の効果】
【００１０】
請求項１の発明によれば、ミシン目が施された印字テープが検出されると、その印字テープに印字するために用意された印字情報を予め記憶している印字情報記憶手段の前記印字情報を用いた印字を行うかの問い合わせを行い、問合せに対する応答に基づいて、前記印字情報を前記印字テープに印字するように構成したため、前記印字テープに印字するための印字情報を容易に入力指定してその印字を行うことができる。
【００１１】
また、請求項２の発明によれば、ミシン目が施された印字テープを用いて簡単に封緘シートを作成することができ、請求項３の発明によれば、ミシン目の切込部分に対応して前記印字テープが切断されることにより、その印字テープを用いて作成した封緘シートによる封印箇所の開封を容易に行うことができる。また、請求項４の発明によれば、ミシン目の非切込部分に対応して前記印字テープが切断されることにより、その印字テープを用いて作成した封緘シートがミシン目箇所で破れにくくすることができる。
【発明を実施するための最良の形態】
【００１２】
以下、本発明の実施形態について図面を参照して説明する。図１は本発明の実施形態に係る印字装置の外観を示す平面図、図２はその印字装置に使用するテープカセットの外観及び印字装置の内部構造の一部を示す斜視図である。図１及び図２に示すように、印字装置１は、装置本体２の上面に入力部３、表示部４、および開閉蓋５を備えている。開閉蓋５の内側には印字テープ３１及びインクリボン３５を収容したテープカセット２１を装填するためのカセット装填部６が形成されている。
【００１３】
入力部３には、文字情報を入力するための文字キー、数字キー、記号キー等の文字入力キーが備えられ、さらに、電源キー、表示部４上に表示されるカーソルを移動させるカーソルキー、各種入力情報や選択データの確定、所定機能の開始の指示等を行なうときに操作される実行キー、入力された文字情報により作成された文書情報の印字処理を実行する際に操作される印字キー等が備えられる。表示部４は液晶表示装置であり、入力された文字情報や各種設定のための選択メニュー画面や処理に関するメッセージなどが表示される。
【００１４】
カセット装填部６内には、印字素子が印字テープ３１の幅方向に対応する縦方向に配列され印字テープ３１に印字を行う印字ヘッド（サーマルヘッド）７と、サーマルヘッド７との間で印字テープ３１及びインクリボン３５を挟んでこれを搬送するプラテンローラ８と、印字に使用したインクリボン３５をテープカセット２１内に巻き取るリボン巻取軸９とを備えたプリンタ部２０が設けられている。更に、テープカセット２１を所定の位置に支持するためのカセット受部１０を備えている。また、プリンタ部２０には、サーマルヘッド７の下流側に装置本体２外に通じる排出口１２が形成されており、この排出口１２には、固定刃１３ａと可動刃１３ｂとを備え、印字テープ３１を切断するためのカッタ１３が設けられている。このカッタ１３にはモータによって駆動されるオートカッタ、あるいは所定の操作ボタンの操作により動作する手動カッタ等が用いられる。前記カセット受部１０には印字テープ３１の種類をテープカセット２１に設けられた識別部を介して検出する複数個のテープ種類検出スイッチ４８が設けられている。
【００１５】
一方、テープカセット２１は、カセットケース２２を備え、このカセットケース２２の内部には、印字テープ３１を巻回したテープコア２３、未使用のインクリボン３５を巻回したリボン供給コア２４、印字に使用済のインクリボン３５を巻き取るリボン巻取コア２５がそれぞれ収納されている。前記印字テープ３１は、印字が行われる印字テープ層と貼着剤層と剥離テープ層の積層構造を有している。また、長尺状の印字テープ３１は、作成するラベル（シート）の用途に応じた複数種類が用意されており、例えば、標準テープ、ミシン目付テープなどがある。標準テープはＰＥＴのシートで構成され印字面の裏面に接着剤が塗布された印字テープ層と、印字テープ層の裏面に貼着される剥離テープとで構成される。また、ミシン目付テープは標準テープと同様に裏面に接着剤が塗布された印字テープ層と剥離テープ層で構成されるが、印字テープ層の幅方向の中央部位の長さ方向に沿ってミシン目が施されている。
【００１６】
図９（ａ）はミシン目付テープの平面図、図９（ｂ）は断面図を示している。図９において、３１ａは印字テープ層、３１ｂは接着剤、３１ｃは剥離テープ層、３１ｄは印字テープ層３１ａの幅方向の中央部位の長さ方向に沿って施されたミシン目を示している。この図９の印字テープ層３１ａには、裏面側の幅方向の中央部位を除いて接着剤３１ｂが塗布されている。このミシン目付テープ３１は封緘シートの作成に使用されるため、封筒等の開封時に開封し易いように、印字テープ層３１ａの裏面のミシン目３１ｄの近傍位置には接着剤を塗布していない。なお、印字テープ層３１ａの裏面の幅方向の中央部位を接着剤の非塗布領域とする代わりに弱い接着剤を塗布してもよい。
【００１７】
また、前記テープカセット２１のカセットケース２２には、カセット装填部６内にテープカセット２１を装填したときにサーマルヘッド７が配置されるヘッド配置部２７が形成されており、また、カセットケース２２の隅部には、カセット装填部６のカセット受部１０に係合してそれに支持される被係合部２９が形成されている。また、被係合部２９には、テープカセット２１に収容する印字テープ３１の種類を表し印字装置１のテープ種類検出スイッチ４８によって検出される識別部が設けられている。この識別部は、標準テープ及びミシン目付テープのテープ種類に応じて異なる形状に形成され、複数個のテープ種類検出スイッチ４８を異なる組合せでオン・オフ動作させ、それによりテープの種類の識別を可能にしている。
【００１８】
この印字装置１では、印字対象の印字情報の印字が指示されると、印字テープ３１とインクリボン３５とがテープカセット２１から引き出され、重ね合わせた状態でプラテンローラ８とサーマルヘッド７の間に挟まれて共に搬送されるとともに、サーマルヘッド７が印字情報の印字パターンデータに基づいて発熱駆動されてインクリボン３５のインクが印字テープ３１に熱転写されて印字テープ３１に印字が行われる。印字が終了すると、カッタ１３を作動させ印字テープ３１が切断されてラベル（シート）が作成される。
【００１９】
図３はこの印字装置の電子回路の構成を示すブロック図である。この印字装置の電子回路には、コンピュータであるＣＰＵからなる制御部４０が備えられる。制御部４０は、入力部３からのキー操作信号に応じてＲＯＭ４１に予め記憶されているシステムプログラム、あるいはメモリカード，ＣＤ−ＲＯＭなどの外部記憶媒体５０からその記憶媒体読み取り部５１を介して内部メモリに読み込まれた装置制御プログラム、あるいは外部通信ネットワークＮ上のＷｅｂサーバ５２から通信制御部５３を介して内部メモリに読み込まれた装置制御プログラムを起動させ、ＲＡＭ４２をワークメモリとして回路各部の動作を制御する。この制御部４０には、前記入力部３、前記表示部４、前記プリンタ部２０、ＲＯＭ４１、ＲＡＭ４２が接続される他、表示用の文字フォントを格納する表示用フォントＲＯＭ４３、印字用の文字フォントを格納する印字用フォントＲＯＭ４４が接続される。また、制御部４０には、ミシン目付テープに印字して封緘シートを作成するための定型印字情報を予め記憶している封緘シート情報メモリ４５が接続される。また、制御部４０には、前記テープ種類検出スイッチ４８が接続される。
【００２０】
ＲＯＭ４１には、入力部３から入力された文書情報を印字するためのプログラム、本発明に係るミシン目付印字テープへの印字処理を行うプログラム、及び印字装置１によって行われる各処理のプログラムが記憶されている。また、ＲＡＭ４２には、入力された文書情報を記憶する入力データメモリ、印字する文書情報の印字パターンデータ（印字データ）が記憶される印字データメモリ、表示部４に表示されるパターンデータが記憶される表示データメモリの各領域が確保され、印字処理などに必要なデータを一時的に記憶するレジスタやカウンタなどが設けられている。
【００２１】
図４は、前記封緘シート情報メモリ４５に記憶されている封緘シート作成用の定型印字情報の説明図である。この封緘シート作成用の定型印字情報は封緘シートに用いる種々の文字情報により構成され、Ａ〜Ｅの用途別にされ、情報番号が付されている。ここでは、（Ａ）封筒の封緘紙、（Ｂ）テスト用紙・アンケート用紙の封、（Ｃ）改ざん防止、（Ｄ）店舗での紙袋や包装紙、（Ｅ）パーティ・コンペでのくじ、景品の５つの用途に分けられ、夫々の用途に対応して１ないし複数の定型印字情報が用意されている。
【００２２】
次に、本発明の印字装置の印字処理を説明する。この印字装置の印字処理ではミシン目付印字テープに印字を行うことにより封緘シートを作成する機能を有している。図５は、印字装置の印字処理のフローチャートを示している。印字装置１の電源が投入されると、印字装置１のカセット装填部６に装着されているテープカセット２１に収容された印字テープ３１の種類がテープ種類検出スイッチ４８によって検出される（ステップＳ１）。次に、検出された印字テープ３１の種類がミシン目付かどうか判断される（ステップＳ２）。ミシン目付印字テープ３１が検出された場合（ステップＳ２のＹＥＳ）、封緘シート作成用の定型印字情報の使用有無を問い合わせする問い合わせ画面４ａが表示部４に表示される（ステップＳ３）。図６は表示部４に表示される封緘シート作成用の定型印字情報の使用有無を問い合わせする問い合わせ画面４ａを示している。この問い合わせに対する応答が判断され（ステップＳ４）、封緘シート作成用の定型印字情報を使用する応答があったと判断されると（ステップＳ４のＹＥＳ）、封緘シート作成用の定型印字情報を選択するための選択画面４ｂ、４ｃが表示部４に表示される（ステップＳ５）。図７及び図８は、封緘シート作成用の定型印字情報を選択するための選択画面４ｂ、４ｃを示している。まず、図７に示す選択画面４ｂが表示部４に表示される。例えば、図７のように、選択画面には、（Ａ）封筒の封緘紙、（Ｂ）テスト用紙・アンケート用紙の封、（Ｃ）改ざん防止、（Ｄ）店舗での紙袋や包装紙、（Ｅ）パーティ・コンペでのくじ、景品、によって表される封緘シートの種類としての５つの用途が表示される。図７の選択画面４ｂで１つを選択すると、例えば、（Ａ）封筒の封緘紙を選択すると、次に、図８に示す選択画面４ｃが表示部４に表示される。この選択画面４ｃでは、用途が「（Ａ）封筒の封緘紙」に属する３個の定型印字情報が情報番号ととともに表示される。そこで、ユーザは選択画面４ｃ上で所望の１個の定型印字情報を選択することになる。
【００２３】
選択画面４ｃ上での定型印字情報の選択が判断され（ステップＳ６）、選択操作が行なわれたことが判断されると（ステップＳ６のＹＥＳ）、選択された定型印字情報が封緘シート情報メモリ４５から読み出される（ステップＳ７）。そして、入力部３の所定キーの操作により選択された定型印字情報の印字が指示されたか判断され（ステップＳ８）、印字の指示が判断されると（ステップＳ８のＹＥＳ）、ＲＡＭ４２の印字データメモリに選択された定型印字情報の印字データを展開するとともに、封緘シートの長さとして、ミシン目付印字テープに対応したテープ長の設定処理を行う（ステップＳ９）。印字の取消が判断されれば（ステップＳ８のＮＯ）、処理を終了する。
【００２４】
前記ステップＳ９では、封緘シートの長さとして、ミシン目付印字テープに対応したテープ長の設定が行われる。すなわち、ミシン目付印字テープでは、ミシン目３１ｄの切込部分３１ｅと非切込部分３１ｆのうち切込部分３１ｅがシートの長さ方向の端部になるように、封緘シートを作成するミシン目付印字テープのテープ長を設定し、そのテープ長の終端部でカッタ１３を動作させて印字テープの切断を行うようにする。これにより、作成された封緘シートは、ミシン目３１ｄの切込部分３１ｅがシート端部にあるため、開封時にそのシート端部の切込部分３１ｅから封緘シートが容易に破れて開封作業を容易に行うことができる。
【００２５】
例えば、図１０に示すように、ミシン目付印字テープ３１において、ミシン目３１ｄの切込部分３１ｅの長さをａとし、非切込部分３１ｆの長さをｂとし、切込部分３１ｅの長さａと非切込部分３１ｆの長さｂが等しいものとする場合、印字テープ３１（封緘シート６０）の長さＬは、（ａ＋ｂ）×ｎ＋ｃとする必要がある。ただし、ｎは任意の整数であり、ｃ＝ａ（又はｂ）である。すなわち、ミシン目付印字テープ３１に施されるミシン目３１ｄの切込部分３１ｅの長さａと非切込部分３１ｆの長さｂが等しい場合には、定型印字情報を印字するためのミシン目付印字テープ３１の長さを、切込部分３１ｅの長さａに非切込部分３１ｆの長さｂを加えた長さを整数倍した長さに、切込部分３１ｅの長さａ又は非切込部分３１ｆの長さｂを加えた長さに設定する。このような関係に封緘シート６０の長さＬを設定することにより、図１０に示すように、封緘シート６０の端部に切込部分３１ｅを位置させることができる。なお、この印字装置１では、印字テープを下流側の一方向にのみ搬送するものであり、サーマルヘッド７とカッタ１３間距離をＤとすると、その距離相当分が印字不可能となり印字テープの先端部分に印字不能領域が発生する。ここでは、その印字不能領域の長さＤが封緘シート６０の前記長さＬに含まれるものとする。
【００２６】
しかして、プリンタ部２０を動作させ、プラテンローラ８が駆動されて印字テープ３１及びインクリボン３２を搬送しつつ、作成した印字データに基づいてサーマルヘッド７を駆動してカセット装填部６に装着されているテープカセット２１の印字テープ３１に印字が行われる。そして、印字データの印字が終了するとカッタ１３が駆動されて、印字テープ３１が切断される（ステップＳ１０）。ミシン目付印字テープ３１に定型印字情報を印字する場合、制御部４０は、プリンタ部２０のプラテンローラ８を駆動するモータを制御し、印字が開始されてからのミシン目付印字テープ３１の搬送量がＬ−Ｄの距離になると、カッタ１３を作動してテープの切断を行うためにテープ搬送を停止する。前述のように、印字テープの先端部に長さＤの印字不能領域が発生し、その印字不能領域は印字開始時に既に存在するため、封緘シートの長さをＬに設定した場合の印字開始から終了までのテープ搬送量はＬ−Ｄとなる。
【００２７】
一方、ステップＳ２において、検出された印字テープの種類がミシン目付ではないと判断されると、入力部３から印字すべき文字情報を入力する入力編集処理が行われる（ステップＳ１１）。入力編集された文書情報の印字の指示が判断され（ステップＳ１２）、印字の指示があったと判断されると（ステップＳ１２のＹＥＳ）、ステップＳ１３に移行し、印字の取消が判断されると（ステップＳ１２のＮＯ）、処理を終了する。
【００２８】
ステップＳ１３では、テープ種類検出スイッチ４８の検出情報がミシン目付印字テープであるか判断され、ミシン目付印字テープであると判断されると（ステップＳ１３のＹＥＳ）、ステップＳ９に移行する。このように、印字対象がミシン目付印字テープであるが、定型印字情報を使用して印字せずに入力部３から入力した任意の印字情報を印字する場合も、印字対象がミシン目付印字テープに定型印字情報を印字する場合と同様に、ステップＳ９において、印字テープ３１（封緘シート６０）の長さをミシン目付印字テープに対応した長さに設定する処理を行う。また、ステップＳ１３でテープ種類検出スイッチ４８の検出情報がミシン目付印字テープではないと判断されると（ステップＳ１３のＮＯ）、入力部３から入力された印字情報の印字データが作成されるとともに、通常の印字テープに対応してテープ長が設定される。すなわち、ステップＳ９のようなミシン目の切込部分３１ｅをシート端部に配置するための調整は必要としないため、印字情報の長さに応じて印字テープの長さが設定されることになる。図１１は封筒７０に封緘シート６０を貼り付けて封印した使用した例を示している。
【００２９】
なお、ミシン目付印字テープ３１において、ミシン目３１ｄの切込部分３１ｅの長さａが非切込部分３１ｆの長さｂより長い場合、封緘シート６０の長さＬは、（ａ＋ｂ）×ｎ＋ｃと表され、その場合のｃの条件は、ａ＞ｃ＞ｂとなる。すなわち、ミシン目付印字テープに施されるミシン目３１ｄの切込部分３１ｅの長さａが非切込部分３１ｆの長さｂより長い場合には、定型印字情報を印字するための印字テープの長さＬを、切込部分３１ｅの長さａに非切込部分３１ｆの長さｂを加えた長さを整数倍した長さに、非切込部分３１ｆの長さｂより長く、かつ切込部分３１ｅの長さａより短い長さを加えた長さに設定する。
【００３０】
また、ミシン目付印字テープ３１において、ミシン目３１ｄの切込部分３１ｅの長さａが非切込部分３１ｆの長さｂより短い場合、封緘シート６０の長さＬは、（ａ＋ｂ）×ｎ＋ｃと表され、その場合のｃの条件は、ａ＜ｃ＜ｂとなる。すなわち、ミシン目付印字テープに施されるミシン目３１ｄの切込部分３１ｅの長さａが非切込部分３１ｆの長さｂより短い場合には、定型印字情報を印字するための印字テープの長さＬを、切込部分３１ｅの長さａに非切込部分３１ｆの長さｂを加えた長さを整数倍した長さに、切込部分３１ｅの長さａより長く、かつ非切込部分３１ｆの長さｂより短い長さを加えたものに設定する。
【００３１】
以上述べたように、本発明の実施の形態によれば、ミシン目が施された所定印字テープ３１がテープ種類検出スイッチ４８によって検出されると、封緘シート情報メモリ４５に記憶されている定型印字情報を用いた印字を行うかの問い合わせを行い、問合せに対する応答に基づいて、定型印字情報を所定印字テープ３１に印字するように構成したため、所定印字テープ３１に印字するための印字情報を容易に入力指定してその印字を行うことができる。また、ミシン目３１ｄの切込部分３１ｅが切断位置となるように、テープ長が設定されるとともに所定印字テープの搬送が制御されて所定印字テープの切断が行われるため、その所定印字テープ３１を用いて作成した封緘シート６０による封印箇所の開封を容易に行うことができる。
【００３２】
上記実施の形態では、ミシン目印字テープ３１のミシン目３１ｄの切込部分３１ｅで切断するように封緘シート６０の長さを設定したが、逆にミシン目３１ｄの非切込部分３１ｆで切断するように封緘シート６０の長さを設定するようにしてもよい。このようにすることにより、封緘シート６０に長さ方向の端部に非切込部分３１ｆが位置するため、封緘シート６０が簡単には破れにくくなり、封印した内容物を保護できる効果がある。
【００３３】
例えば、ミシン目付印字テープ３１において、ミシン目３１ｄの切込部分３１ｅの長さａと非切込部分３１ｆの長さｂが等しい場合、設定される封緘シート６０の長さＬは、（ａ＋ｂ）×ｎ＋ａ（又はｂ）＋ｃと表され、その場合のｃの条件は、ｃ＝ａ（又はｂ）となる。すなわち、ミシン目付印字テープ３１に施されるミシン目３１ｄの切込部分３１ｅの長さａと非切込部分３１ｆの長さｂが等しい場合には、定型印字情報を印字するための印字テープの長さＬを、切込部分３１ｅの長さａに非切込部分３１ｆの長さｂを加えた長さを整数倍した長さに、切込部分３１ｅの長さａを加え、更に切込部分３１ｅの長さａを加えた長さに設定する。これにより、封緘シート６０に長さ方向の端部に非切込部分３１ｆが位置するように印字テープ３１を切断することができる。
【００３４】
また、例えば、ミシン目付印字テープ３１において、ミシン目３１ｄの切込部分３１ｅの長さａが非切込部分３１ｆの長さｂより長い場合、設定する封緘シート６０の長さＬは、（ａ＋ｂ）×ｎ＋ａ＋ｃと表され、その場合のｃの条件は、ａ＞ｃ＞ｂとなる。すなわち、ミシン目付印字テープに施されるミシン目３１ｄの切込部分３１ｅの長さａが非切込部分３１ｆの長さｂより長い場合には、定型印字情報を印字するための印字テープの長さＬを、切込部分３１ｅの長さａに非切込部分３１ｆの長さｂを加えた長さを整数倍した長さに、切込部分３１ｅの長さａを加え、更に非切込部分３１ｆの長さより長く、かつ切込部分３１ｅの長さより短い長さを加えたものに設定する。これにより、封緘シート６０に長さ方向の端部に非切込部分３１ｆが位置するように印字テープ３１を切断することができる。
【００３５】
また、例えば、ミシン目付印字テープ３１において、ミシン目３１ｄの切込部分３１ｅの長さａが非切込部分３１ｆの長さｂより短い場合、設定する封緘シート６０の長さＬは、（ａ＋ｂ）×ｎ＋ａ＋ｃと表され、その場合のｃの条件は、ａ＜ｃ＜ｂとなる。すなわち、ミシン目付印字テープに施されるミシン目３１ｄの切込部分３１ｅの長さａが非切込部分３１ｆの長さｂより短い場合には、定型印字情報を印字するための印字テープの長さＬを、切込部分３１ｅの長さａに非切込部分３１ｆの長さｂを加えた長さを整数倍した長さに、切込部分３１ｅの長さａを加え、さらに切込部分３１ｅの長さより長く、かつ非切込部分３１ｆの長さより短い長さを加えたものに設定する。これにより、封緘シート６０に長さ方向の端部に非切込部分３１ｆが位置するように印字テープ３１を切断することができる。
【図面の簡単な説明】
【００３６】
【図１】本発明の実施形態に係る電子装置としての印字装置の平面図。
【図２】その印字装置に使用するテープカセットの外観及び印字装置の内部構造の一部を示す斜視図。
【図３】その印字装置の電子回路の構成を示すブロック図。
【図４】封緘シート情報メモリに記憶されている定型印字情報の説明図。
【図５】その印字装置の印字処理のフローチャート。
【図６】封緘シート作成用の定型印字情報の使用有無の問い合わせ画面の説明図。
【図７】封緘シート作成用の定型印字情報を選択するための選択画面の説明図。
【図８】封緘シート作成用の定型印字情報を選択するための選択画面の説明図。
【図９】図９（ａ）はミシン目付印字テープの平面図、図９（ｂ）は同じく断面図。
【図１０】封緘シートの説明図。
【図１１】封緘シートの使用例の説明図。
【符号の説明】
【００３７】
１…印字装置  ２…装置本体  ３…入力部  ４…表示部  ６…カセット装填部
７…サーマルヘッド  ８…プラテンローラ  １３…カッタ  ２１…テープカセット
３１…（ミシン目付）印字テープ  ３１ａ…印字テープ層  ３１ｂ…接着剤
３１ｃ…剥離テープ層  ３１ｄ…ミシン目  ４０…制御部  ４１…ＲＯＭ  ４２…ＲＡＭ
４５…封緘シート情報メモリ  ４８…テープ種類検出スイッチ  ６０…封緘シート
【図１】
2009241505.tif 000003
【図２】
2009241505.tif 000004
【図３】
2009241505.tif 000005
【図４】
2009241505.tif 000006
【図５】
2009241505.tif 000007
【図６】
2009241505.tif 000008
【図７】
2009241505.tif 000009
【図８】
2009241505.tif 000010
【図９】
2009241505.tif 000011
【図１０】
2009241505.tif 000012
【図１１】
2009241505.tif 000013